(57)【特許請求の範囲】
【請求項１】
入光面、反射面及び出光面を有する少なくとも１つの本体を含み、前記入光面は、前記反射面と前記出光面に接続され、前記反射面は、前記出光面に対向し、前記反射面は、第１の底部と前記第１の底部から所定の高さだけ離れた第２の底部とを有する主体ユニットと、
前記少なくとも１つの本体の反射面上に設けられた複数の反射微細構造を有し、前記複数の反射微細構造は、それぞれ、第１の反射曲面を有し、前記少なくとも１つの本体の側面上で前記第１の反射曲面の側面が第１の反射曲線となっている反射ユニットと、
を備え、
前記第１の反射曲線は、始点となる前記反射面の第１の底部にある第１の基点（Ｐ１）と、終点となる前記反射面の第２の底部にある第２の基点（Ｐ２）と、前記第１の基点（Ｐ１）から複数の第１の曲線軌跡点（ＰＶ１）を経由して前記第２の基点（Ｐ２）に接続された第１の曲線軌跡とからなり、前記第１の反射曲線は、前記第１の基点（Ｐ１）から第１の所定距離だけ離れ、且つ前記第２の基点（Ｐ２）から第２の所定距離だけ離れた第１の制御点（ＰＣ１）を有し、前記第１の反射曲線の第１の曲線軌跡は、前記第１の基点（Ｐ１）と前記第２の基点（Ｐ２）と前記第１の制御点（ＰＣ１）とによって囲まれた三角形の範囲内に位置しており、
前記第１の反射曲面の第１の反射曲線における
【数１】
0005575697.tif 000018
は、下記の関係式を満たしており、
【数２】
0005575697.tif 000019
前記関係式における符号Ａは、０．１＜Ａ＜１０を満たす重み付け因子として定義され、符号Ｖは、０＜Ｖ＜１を満たすパラメータとしてそれぞれ定義され、
前記少なくとも１つの本体は、光透過体であり、前記入光面は、前記光透過体の一方の側面上に位置し、前記反射面及び前記出光面は、それぞれ前記光透過体の底面及び頂面上に位置し、
前記複数の反射微細構造は、それぞれ、側面が第２の反射曲線である第２の反射曲面を有し、前記第２の反射曲線は、始点となる前記反射面の第２の底部にある第２の基点（Ｐ２）と、終点となる前記反射面の第１の底部にある第３の基点（Ｐ３）と、前記第２の基点（Ｐ２）から複数の第２の曲線軌跡点（ＰＶ２）を経由して前記第３の基点（Ｐ３）に接続された第２の曲線軌跡とからなり、
前記第２の反射曲線は、前記第２の基点（Ｐ２）から第１の所定距離だけ離れ、且つ前記第３の基点（Ｐ３）から第２の所定距離だけ離れた第２の制御点（ＰＣ２）を有し、前記第２の曲線軌跡は、前記第２の基点（Ｐ２）と前記第３の基点（Ｐ３）と前記第２の制御点（ＰＣ２）とによって囲まれた三角形の範囲内に位置しており、
前記第２の反射曲線における
【数３】
0005575697.tif 000020
は、下記の関係式を満たしており、
【数４】
0005575697.tif 000021
前記関係式における符号Ａは、０．１＜Ａ＜１０を満たす重み付け因子として定義され、符号Ｖは、０＜Ｖ＜１を満たすパラメータとして定義され、前記第２の反射曲線が前記第１の反射曲線に接続されることにより、前記複数の反射微細構造の各々の第２の反射曲面が前記第１の反射曲面に接続されることを特徴とする導光板。
【請求項２】
前記複数の反射微細構造は、連続的に延在する連続式構造となるよう、前記少なくとも１つの本体の反射面上に互いに並列に一体形成されることを特徴とする請求項１に記載の導光板。
【請求項３】
前記複数の反射微細構造は、互いに分散して、前記少なくとも１つの本体の反射面上に一体形成されることを特徴とする請求項１に記載の導光板。
【請求項４】
前記複数の反射微細構造は、それぞれ、側面が第３の反射曲線である第３の反射曲面を有し、前記各反射微細構造の前記第３の反射曲線は、始点となる前記反射面の第２の底部にある第３の基点（Ｐ３）と、終点となる前記反射面の第１の底部にある第４の基点（Ｐ４）と、前記第３の基点（Ｐ３）から複数の第３の曲線軌跡点（ＰＶ３）を経由して前記第４の基点（Ｐ４）に接続された第３の曲線軌跡とからなることを特徴とする請求項１に記載の導光板。
【請求項５】
前記複数の反射微細構造の各々の前記第３の反射曲線は、前記第３の基点（Ｐ３）から第１の所定距離だけ離れ、且つ前記第４の基点（Ｐ４）から第２の所定距離だけ離れた第３の制御点（ＰＣ３）を有し、前記第３の反射曲線の前記第３の曲線軌跡は、前記第３の基点（Ｐ３）と前記第４の基点（Ｐ４）と前記第３の制御点（ＰＣ３）とによって囲まれた三角形の範囲内に位置しており、
前記複数の反射微細構造の各々の前記第３の反射曲線における
【数５】
0005575697.tif 000022
は、下記の関係式を満たしており、
【数６】
0005575697.tif 000023
前記関係式における符号Ａは、０．１＜Ａ＜１０を満たす重み付け因子として定義され、符号Ｖは、０＜Ｖ＜１を満たすパラメータとして定義され、前記複数の反射微細構造の各々の前記第３の反射曲線が前記第２の反射曲線に接続されることにより、前記複数の反射微細構造の各々の前記第３の反射曲面は、前記第２の反射曲面に接続されることを特徴とする請求項４に記載の導光板。
【請求項６】
前記複数の反射微細構造は、それぞれ、側面が反射直線である反射平面を有し、前記反射平面の前記反射直線は、始点となる前記反射面の第２の底部にある第３の基点（Ｐ３）と、終点となる前記反射面の第１の底部にある第４の基点（Ｐ４）と、前記第３の基点（Ｐ３）から前記第４の基点（Ｐ４）に直線的に接続された直線軌跡とからなることを特徴とする請求項１に記載の導光板。
【請求項７】
前記反射平面の前記反射直線が前記第２の反射曲線に接続されることにより、前記複数の反射微細構造の各々の反射平面は、前記第２の反射曲面に接続されることを特徴とする請求項６に記載の導光板。
【請求項８】
前記少なくとも１つの本体の出光面上に一体的に設けられた複数の出光微細構造を有する出光ユニットをさらに備え、前記複数の出光微細構造は、それぞれ、前記少なくとも１つの本体に接続された光拡散部と前記光拡散部に設けられた集光部とを有することを特徴とする請求項１に記載の導光板。
【請求項９】
前記少なくとも１つの本体の出光面上に一体的に設けられた複数の出光微細構造を有する出光ユニットをさらに備え、前記複数の出光微細構造は、それぞれ、前記少なくとも１つの本体に接続された集光部と前記集光部に設けられた光拡散部とを有することを特徴とする請求項１に記載の導光板。
【請求項１０】
入光面、反射面及び出光面を有する少なくとも１つの本体を含み、前記入光面は、前記反射面と前記出光面に接続され、前記反射面は、前記出光面に対向し、前記反射面は、第１の底部と前記第１の底部から所定の高さだけ離れた第２の底部とを有する主体ユニットと、
前記少なくとも１つの本体の反射面上に設けられた複数の反射微細構造を有し、前記複数の反射微細構造は、それぞれ、第１の反射曲面を有し、前記少なくとも１つの本体の側面上で前記第１の反射曲面の側面が第１の反射曲線となっている反射ユニットと、
前記少なくとも１つの本体の一方の側面に設けられ、前記少なくとも１つの本体の入光面に対向する発光ユニットと、
を備え、
前記第１の反射曲面の第１の反射曲線は、始点となる前記反射面の第１の底部にある第１の基点（Ｐ１）と、終点となる前記反射面の第２の底部にある第２の基点（Ｐ２）と、前記第１の基点（Ｐ１）から複数の第１の曲線軌跡点（ＰＶ１）を経由して前記第２の基点（Ｐ２）に接続された第１の曲線軌跡とからなり、前記第１の反射曲面の第１の反射曲線は、前記第１の基点（Ｐ１）から第１の所定距離だけ離れ、且つ前記第２の基点（Ｐ２）から第２の所定距離だけ離れた第１の制御点（ＰＣ１）を有し、前記第１の反射曲線の前記第１の曲線軌跡は、前記第１の基点（Ｐ１）と前記第２の基点（Ｐ２）と前記第１の制御点（ＰＣ１）とによって囲まれた三角形の範囲内に位置しており、
前記第１の反射曲面の前記第１の反射曲線における
【数７】
0005575697.tif 000024
は、下記の関係式を満たしており、
【数８】
0005575697.tif 000025
前記関係式における符号Ａは、０．１＜Ａ＜１０を満たす重み付け因子として定義され、符号Ｖは、０＜Ｖ＜１を満たすパラメータとして定義され、
前記少なくとも１つの本体は、光透過体であり、前記入光面は、前記光透過体の一方の側面上に位置し、前記反射面及び前記出光面は、それぞれ前記光透過体の底面及び頂面上に位置し、
前記複数の反射微細構造は、それぞれ、側面が第２の反射曲線である第２の反射曲面を有し、前記第２の反射曲線は、始点となる前記反射面の第２の底部にある第２の基点（Ｐ２）と、終点となる前記反射面の第１の底部にある第３の基点（Ｐ３）と、前記第２の基点（Ｐ２）から複数の第２の曲線軌跡点（ＰＶ２）を経由して前記第３の基点（Ｐ３）に接続された第２の曲線軌跡とからなり、
前記第２の反射曲線は、前記第２の基点（Ｐ２）から第１の所定距離だけ離れ、且つ前記第３の基点（Ｐ３）から第２の所定距離だけ離れた第２の制御点（ＰＣ２）を有し、前記第２の曲線軌跡は、前記第２の基点（Ｐ２）と前記第３の基点（Ｐ３）と前記第２の制御点（ＰＣ２）とによって囲まれた三角形の範囲内に位置しており、
前記第２の反射曲線における
【数９】
0005575697.tif 000026
は、下記の関係式を満たしており、
【数１０】
0005575697.tif 000027
前記関係式における符号Ａは、０．１＜Ａ＜１０を満たす重み付け因子として定義され、符号Ｖは、０＜Ｖ＜１を満たすパラメータとして定義され、前記第２の反射曲線が前記第１の反射曲線に接続されることにより、前記複数の反射微細構造の各々の第２の反射曲面が前記第１の反射曲面に接続されることを特徴とするバックライトモジュール。
【請求項１１】
前記複数の反射微細構造は、それぞれ、側面が第３の反射曲線である第３の反射曲面を有し、前記第３の反射曲線は、始点となる前記反射面の第２の底部にある第３の基点（Ｐ３）と、終点となる前記反射面の第１の底部にある第４の基点（Ｐ４）と、前記第３の基点（Ｐ３）から複数の第３の曲線軌跡点（ＰＶ３）を経由して前記第４の基点（Ｐ４）に接続された第３の曲線軌跡とからなり、前記第３の反射曲線は、前記第３の基点（Ｐ３）から第１の所定距離だけ離れ、且つ前記第４の基点（Ｐ４）から第２の所定距離だけ離れた第３の制御点（ＰＣ３）を有し、前記第３の反射曲線の第３の曲線軌跡は、前記第３の基点（Ｐ３）と前記第４の基点（Ｐ４）と前記第３の制御点（ＰＣ３）とによって囲まれた三角形の範囲内に位置しており、
前記複数の反射微細構造の各々の第３の反射曲線における
【数１１】
0005575697.tif 000028
は、下記の関係式を満たしており、
【数１２】
0005575697.tif 000029
前記関係式における符号Ａは、０．１＜Ａ＜１０を満たす重み付け因子として定義され、符号Ｖは、０＜Ｖ＜１を満たすパラメータとして定義され、前記第３の反射曲線が前記第２の反射曲線に接続されることにより、前記複数の反射微細構造の各々の第３の反射曲面は、前記第２の反射曲面に接続されることを特徴とする請求項１０に記載のバックライトモジュール。
【発明の詳細な説明】
【技術分野】
【０００１】
本発明は、導光板及びバックライトモジュール（ｂａｃｋ  ｌｉｇｈｔ  ｍｏｄｕｌｅ）に関し、特に正方向の光の導光効率及び光使用率を向上させるための導光板及びバックライトモジュールに関するものである。
【背景技術】
【０００２】
液晶ディスプレイ（ＬＣＤ）は、ディスプレイパネル（ｄｉｓｐｌａｙ  ｐａｎｅｌ）自体が発光特性を有していないため、バックライトモジュールから提供される光源を利用して表示機能を達成する必要がある。バックライトモジュールから提供される光の輝度、効率、演色性の高低がディスプレイのパフォーマンスに影響を与えるため、高輝度、高品位のバックライトモジュールの研究開発が現在活発に行われている。
【０００３】
バックライトモジュールは、液晶ディスプレイパネルのキーコンポーネントの一つであり、液晶自体が発光しないため、液晶が画像を正常に表示できるように十分な輝度を提供するとともに光源を均一に分布させる機能がある。ＬＣＤパネルは、既にモニター、ノートブックパソコン、デジタルカメラ及びプロジェクター等、成長の期待できる電子製品に幅広く応用されており、それに伴いバックライトモジュール及びその関連部品の需要も持続的に成長している。
【０００４】
従来の技術として、特許文献１には、少なくとも２つの導光板と少なくとも１つの拡散シートとを組み合わせて使用したバックライトモジュールが開示されている。一般的に光は、導光板の底部にあるプリズム構造を利用して光源の方向を補正する必要がある。しかしながら、従来の光源方向補正用のプリズム構造は、バックライトモジュールに提供される正方向の光利用率が不十分であることがある。
【先行技術文献】
【特許文献】
【０００５】
【特許文献１】米国特許第５８３８４０３号明細書
【発明の概要】
【発明が解決しようとする課題】
【０００６】
そこで、本発明は、如何なる光学フィルム及び二層の導光板をも使用することなく、正方向の光の導光効率及び光使用率を向上することができる導光板及びバックライトモジュールを提供することを目的とする。
【課題を解決するための手段】
【０００７】
本発明の一態様に係る導光板は、入光面、反射面及び出光面を有する少なくとも１つの本体を含み、前記入光面は、前記反射面と前記出光面に接続され、前記反射面は、前記出光面に対向し、前記反射面は、第１の底部と前記第１の底部から所定の高さだけ離れた第２の底部とを有する主体ユニットと、前記少なくとも１つの本体の反射面上に設けられた複数の反射微細構造を有し、前記複数の反射微細構造は、それぞれ、第１の反射曲面を有し、前記少なくとも１つの本体の側面上で前記第１の反射曲面の側面が第１の反射曲線となっている反射ユニットと、を備え、前記第１の反射曲線は、始点となる前記反射面の第１の底部にある第１の基点（Ｐ１）と、終点となる前記反射面の第２の底部にある第２の基点（Ｐ２）と、前記第１の基点（Ｐ１）から複数の第１の曲線軌跡点（ＰＶ１）を経由して前記第２の基点（Ｐ２）に接続された第１の曲線軌跡とからなり、前記第１の反射曲線は、前記第１の基点（Ｐ１）から第１の所定距離だけ離れ、且つ前記第２の基点（Ｐ２）から第２の所定距離だけ離れた第１の制御点（ＰＣ１）を有し、前記第１の反射曲線の第１の曲線軌跡は、前記第１の基点（Ｐ１）と前記第２の基点（Ｐ２）と前記第１の制御点（ＰＣ１）とによって囲まれた三角形の範囲内に位置しており、前記第１の反射曲面の第１の反射曲線における
【数１】
0005575697.tif 000002
は、下記の関係式を満たしており、
【数２】
0005575697.tif 000003
前記関係式における符号Ａは、０．１＜Ａ＜１０を満たす重み付け因子として定義され、符号Ｖは、０＜Ｖ＜１を満たすパラメータとしてそれぞれ定義され、前記少なくとも１つの本体は、光透過体であり、前記入光面は、前記光透過体の一方の側面上に位置し、前記反射面及び前記出光面は、それぞれ前記光透過体の底面及び頂面上に位置し、前記複数の反射微細構造は、それぞれ、側面が第２の反射曲線である第２の反射曲面を有し、前記第２の反射曲線は、始点となる前記反射面の第２の底部にある第２の基点（Ｐ２）と、終点となる前記反射面の第１の底部にある第３の基点（Ｐ３）と、前記第２の基点（Ｐ２）から複数の第２の曲線軌跡点（ＰＶ２）を経由して前記第３の基点（Ｐ３）に接続された第２の曲線軌跡とからなり、前記第２の反射曲線は、前記第２の基点（Ｐ２）から第１の所定距離だけ離れ、且つ前記第３の基点（Ｐ３）から第２の所定距離だけ離れた第２の制御点（ＰＣ２）を有し、前記第２の曲線軌跡は、前記第２の基点（Ｐ２）と前記第３の基点（Ｐ３）と前記第２の制御点（ＰＣ２）とによって囲まれた三角形の範囲内に位置しており、前記第２の反射曲線における
【数３】
0005575697.tif 000004
は、下記の関係式を満たしており、
【数４】
0005575697.tif 000005
前記関係式における符号Ａは、０．１＜Ａ＜１０を満たす重み付け因子として定義され、符号Ｖは、０＜Ｖ＜１を満たすパラメータとして定義され、前記第２の反射曲線が前記第１の反射曲線に接続されることにより、前記複数の反射微細構造の各々の第２の反射曲面が前記第１の反射曲面に接続される。
本発明の他の態様に係るバックライトモジュールは、入光面、反射面及び出光面を有する少なくとも１つの本体を含み、前記入光面は、前記反射面と前記出光面に接続され、前記反射面は、前記出光面に対向し、前記反射面は、第１の底部と前記第１の底部から所定の高さだけ離れた第２の底部とを有する主体ユニットと、前記少なくとも１つの本体の反射面上に設けられた複数の反射微細構造を有し、前記複数の反射微細構造は、それぞれ、第１の反射曲面を有し、前記少なくとも１つの本体の側面上で前記第１の反射曲面の側面が第１の反射曲線となっている反射ユニットと、前記少なくとも１つの本体の一方の側面に設けられ、前記少なくとも１つの本体の入光面に対向する発光ユニットと、を備え、前記第１の反射曲面の第１の反射曲線は、始点となる前記反射面の第１の底部にある第１の基点（Ｐ１）と、終点となる前記反射面の第２の底部にある第２の基点（Ｐ２）と、前記第１の基点（Ｐ１）から複数の第１の曲線軌跡点（ＰＶ１）を経由して前記第２の基点（Ｐ２）に接続された第１の曲線軌跡とからなり、前記第１の反射曲面の第１の反射曲線は、前記第１の基点（Ｐ１）から第１の所定距離だけ離れ、且つ前記第２の基点（Ｐ２）から第２の所定距離だけ離れた第１の制御点（ＰＣ１）を有し、前記第１の反射曲線の前記第１の曲線軌跡は、前記第１の基点（Ｐ１）と前記第２の基点（Ｐ２）と前記第１の制御点（ＰＣ１）とによって囲まれた三角形の範囲内に位置しており、前記第１の反射曲面の前記第１の反射曲線における
【数７】
0005575697.tif 000006
は、下記の関係式を満たしており、
【数８】
0005575697.tif 000007
前記関係式における符号Ａは、０．１＜Ａ＜１０を満たす重み付け因子として定義され、符号Ｖは、０＜Ｖ＜１を満たすパラメータとして定義され、前記少なくとも１つの本体は、光透過体であり、前記入光面は、前記光透過体の一方の側面上に位置し、前記反射面及び前記出光面は、それぞれ前記光透過体の底面及び頂面上に位置し、前記複数の反射微細構造は、それぞれ、側面が第２の反射曲線である第２の反射曲面を有し、前記第２の反射曲線は、始点となる前記反射面の第２の底部にある第２の基点（Ｐ２）と、終点となる前記反射面の第１の底部にある第３の基点（Ｐ３）と、前記第２の基点（Ｐ２）から複数の第２の曲線軌跡点（ＰＶ２）を経由して前記第３の基点（Ｐ３）に接続された第２の曲線軌跡とからなり、前記第２の反射曲線は、前記第２の基点（Ｐ２）から第１の所定距離だけ離れ、且つ前記第３の基点（Ｐ３）から第２の所定距離だけ離れた第２の制御点（ＰＣ２）を有し、前記第２の曲線軌跡は、前記第２の基点（Ｐ２）と前記第３の基点（Ｐ３）と前記第２の制御点（ＰＣ２）とによって囲まれた三角形の範囲内に位置しており、前記第２の反射曲線における
【数９】
0005575697.tif 000008
は、下記の関係式を満たしており、
【数１０】
0005575697.tif 000009
前記関係式における符号Ａは、０．１＜Ａ＜１０を満たす重み付け因子として定義され、符号Ｖは、０＜Ｖ＜１を満たすパラメータとして定義され、前記第２の反射曲線が前記第１の反射曲線に接続されることにより、前記複数の反射微細構造の各々の第２の反射曲面が前記第１の反射曲面に接続される。
【０００８】
また、本発明は、主体ユニット、反射ユニット及び発光ユニットを含むバックライトモジュールにおいて、前記主体ユニットと前記反射ユニットとが前記導光板として組み合わせられ、前記発光ユニットが前記少なくとも１つの本体の一方の側面に設けられ、前記少なくとも１つの本体の入光面に対向していることを特徴とするバックライトモジュールを提供する。
【発明の効果】
【０００９】
上述のように、本発明に係る導光板及びバックライトモジュールは、本体の反射面上に複数の反射微細構造が設けられて構成されているため、正方向の光の導光効率及び光使用率を向上させることができる。
【図面の簡単な説明】
【００１０】
【図１Ａ】本発明に係る導光板の第１の実施形態の一部の立体模式図を示す。
【図１Ｂ】本発明に係る導光板の第１の実施形態の下面模式図を示す。
【図１Ｃ】本発明に係る導光板の第１の実施形態における発光ユニット使用時の側面模式図を示す。
【図１Ｄ】本発明において異なる重み付け因子を使用した場合の対応する異なる曲線形状模式図を示す。
【図２Ａ】本発明に係る導光板の第２の実施形態の一部の立体模式図を示す。
【図２Ｂ】本発明に係る導光板の第２の実施形態における発光ユニット使用時の側面模式図を示す。
【図２Ｃ】本発明において異なる重み付け因子を使用した場合の対応する異なる光強度の光曲線図を示す。
【図２Ｄ】本発明において異なる重み付け因子を使用した場合の対応する異なるゲイン値（Ｇａｉｎ値）の曲線図を示す。
【図３】本発明に係る導光板の第３の実施形態の一部の立体模式図を示す。
【図４】本発明に係る導光板の第４の実施形態の一部の立体模式図を示す。
【図５】本発明に係る導光板の第５の実施形態の側面模式図を示す。
【図６】本発明に係る導光板の第６の実施形態の側面模式図を示す。
【図７Ａ】本発明に係る導光板の第７の実施形態の第１種の側面模式図を示す。
【図７Ｂ】本発明に係る導光板の第７の実施形態の第２種の側面模式図を示す。
【図７Ｃ】本発明に係る導光板の第７の実施形態の第３種の側面模式図を示す。
【図７Ｄ】本発明に係る導光板の第７の実施形態の第４種の側面模式図を示す。
【図７Ｅ】本発明に係る導光板の第７の実施形態の第５種の側面模式図を示す。
【図８】本発明に係る導光板の第８の実施形態の下面模式図を示す。
【図９】本発明の図１Ｃ、図２Ｂ、図３、図５、図６、図７Ａないし図７Ｅにおける導光板を異なる投光角度にした場合の対応する異なる投光強度の光曲線図を示す。
【発明を実施するための形態】
【００１１】
［第１の実施形態］
図１Ａないし図１Ｃを参照して、図１Ａは、立体模式図を、図１Ｂは、下面模式図を、図１Ｃは、側面模式図をそれぞれ示している。これらの図に示すように、本発明の第１の実施形態は、主体ユニット１と反射ユニット２とを含む導光板を提供する。
【００１２】
主体ユニット１は、入光面１００、反射面１０１及び出光面１０２を有する少なくとも１つの本体１０を含み、入光面１００は、反射面１０１と出光面１０２に接続され、反射面１０１は、出光面１０２に対向し、反射面１０１は、第１の底部１０１Ａと第１の底部１０１Ａから所定の高さＨだけ離れた第２の底部１０１Ｂとを有する。具体的に説明すると、本体１０は、光透過体（又は透明体）であり、入光面１００は、光透過体の一方の側面上に位置し、反射面１０１及び出光面１０２は、それぞれ光透過体の底面及び頂面上に位置する。
【００１３】
反射ユニット２は、本体１０の反射面１０１上に設けられた複数の反射微細構造２０を有し、各反射微細構造２０は、それぞれ反射曲面２０Ａ及び第２の反射曲面２０Ｂを有する。各第１の反射曲面２０Ａの側面は、第１の反射曲線２００Ａとなっており、各第２の反射曲面２０Ｂの側面は、第２の反射曲線２００Ｂとなっている。例えば、各反射微細構造２０は、連続的に延在する連続式構造（図１Ａ及び図１Ｂ参照）となるよう、本体１０の反射面１０１上に一体成形により並列に配置されてもよい。
【００１４】
各第１の反射曲面２０Ａの第１の反射曲線２００Ａは、始点となる反射面１０１の第１の底部１０１Ａにある第１の基点（Ｐ１）と、終点となる反射面１０１の第２の底部１０１Ｂにある第２の基点（Ｐ２）と、第１の基点（Ｐ１）から複数の第１の曲線軌跡点（ＰＶ１）を経由して第２の基点（Ｐ２）に接続された第１の曲線軌跡２００Ａ’とからなる。各第１の反射曲面２０Ａの第１の反射曲線２００Ａは、第１の基点（Ｐ１）から第１の所定距離だけ離れ、且つ第２の基点（Ｐ２）から第２の所定距離だけ離れた第１の制御点（ＰＣ１）を有し、各第１の反射曲面２０Ａのそれぞれの第１の反射曲線２００Ａの第１の曲線軌跡２００Ａ’は、第１の基点（Ｐ１）と第２の基点（Ｐ２）と第１の制御点（ＰＣ１）とによって囲まれた三角形の範囲内に位置する。また、各第１の反射曲面２０Ａの第１の反射曲線２００Ａにおける
【数３】
0005575697.tif 000010
は、下記の関係式を満たしており、
【数４】
0005575697.tif 000011
前記関係式における符号Ａは、実質的（ｓｕｂｓｔａｎｔｉａｌｌｙ）に０．１〜１０である重み付け因子として定義され、符号Ｖは、実質的に０〜１であるパラメータとして定義される。
【００１５】
第１の実施形態の第１の状況として、第２の曲線軌跡２００Ｂ’が任意で規則性を有さない軌跡であるときに、第２の反射曲線２００Ｂは、任意で規則性を有さない曲線とり、且つ第２の反射曲面２０Ｂも任意で規則性を有さない曲面となる。例えば、各第２の反射曲面２０Ｂの第２の反射曲線２００Ｂは、始点となる反射面１０１の第２の底部１０１Ｂにある第２の基点（Ｐ２）と、終点となる反射面１０１の第１の底部１０１Ａにある第３の基点（Ｐ３）と、第２の基点（Ｐ２）から複数の第２の曲線軌跡点（ＰＶ２）を経由して第３の基点（Ｐ３）に接続された第２の曲線軌跡２００Ｂ’とからなる。
【００１６】
第１の実施形態の第２の状況として、第２の曲線軌跡２００Ｂ’が規則性を有する軌跡であるときに、第２の反射曲線２００Ｂは、規則性を有する曲線となり、且つ第２の反射曲面２０Ｂも規則性を有する曲面となる。例えば、図１Ａに示すように、各第２の反射曲面２０Ｂの第２の反射曲線２００Ｂは、第２の基点（Ｐ２）から第１の所定距離だけ離れ、且つ第３の基点（Ｐ３）から第２の所定距離だけ離れた第２の制御点（ＰＣ２）を有し、各第２の反射曲面２０Ｂの第２の反射曲線２００Ｂの第２の曲線軌跡２００Ｂ’は、第２の基点（Ｐ２）と第３の基点（Ｐ３）と第２の制御点（ＰＣ２）とによって囲まれた三角形の範囲内に位置する。また、各第２の反射曲面２０Ｂの第２の反射曲線２００Ｂにおける
【数５】
0005575697.tif 000012
は、下記の関係式を満たしており、
【数６】
0005575697.tif 000013
前記関係式における符号Ａは、実質的に０．１〜１０である重み付け因子として定義され、符号Ｖは、実質的に０〜１であるパラメータとして定義される。
【００１７】
従って、各第２の反射曲面２０Ｂの第２の反射曲線２００Ｂが第１の反射曲線２００Ａに接続されることにより、各反射微細構造２０の第２の反射曲面２０Ｂは、第１の反射曲面２０Ａに接続される。言い換えれば、各反射微細構造２０は、第１の反射曲面２０Ａと第２の反射曲面２０Ｂとの相互接続からなり、第２の反射曲面２０Ｂは、任意で規則性を有さない曲面、又は規則性を有する曲面（図１Ａ参照）である。
【００１８】
さらに、図１Ｃに示すように、本発明に係る導光板は、発光ユニットと組み合わせることにより、バックライトモジュールを形成してもよい。言い換えれば、本発明に係るバックライトモジュールは、主体ユニット１と反射ユニット２と発光ユニット３とからなり、あらゆる電子製品に必要な光源として用いることができる。例えば、発光ユニット３が主体ユニット１の側縁に設けられた場合、このバックライトモジュールは、サイド型バックライトモジュールとなる。
【００１９】
また、図１Ｃに示すように、発光ユニット３からの入射ビームＬ１（図１Ｃに示す矢印参照）が反射面１０１上に位置するそれぞれの第１の反射曲面２０Ａ又は第２の反射曲面２０Ｂによって反射されることにより、出光面１０２から上へ投射される複数の投射ビームＬ２が生成される。上述したとおり、本体１０の反射面１０１上には複数の反射微細構造２０が構成されているため、投射ビームＬ２と垂直線Ｙとによる投射角θは最小化され、正方向の光（垂直方向上の光投射方向）の導光効率及び光使用率を向上することができる。
【００２０】
図１Ｄは、異なる重み付け因子を使用した場合において、対応する曲線形状模式図を示す。図１Ａにおける第１の基点（Ｐ１）、第２の基点（Ｐ２）及び第１の制御点（ＰＣ１）を例にして説明すと、重み付け因子（Ａ値）が大きいほど、複数の第１の曲線軌跡点（ＰＶ１）は、第１の制御点（ＰＣ１）に近接し、逆に、重み付け因子（Ａ値）が小さいほど、複数の第１の曲線軌跡点（ＰＶ１）は、第１の制御点（ＰＣ１）から離れ、重み付け因子が０（Ａ＝０）の場合に第１の基点（Ｐ１）と第２の基点（Ｐ２）とを接続してなる直線は、公知の反射線となる。
【００２１】
［第２の実施形態］
図２Ａ及び図２Ｂを参照して、本発明にかかる第２の実施形態は、導光板を提供する。図２Ａと図１Ａとの比較から、第２の実施形態と第１の実施形態との最大の相違点は、第２の実施形態における各反射微細構造２０は、反射平面２０Ｚを有し、各反射微細構造２０の反射平面２０Ｚは、側面が反射直線２００Ｚとなっている点である。各反射平面２０Ｚの反射直線２００Ｚは、始点となる反射面１０１の第２の底部１０１Ｂにある第２の基点（Ｐ２）と、終点ととなる反射面１０１の第１の底部１０１Ａにある第３の基点（Ｐ３）と、第２の基点（Ｐ２）から第３の基点（Ｐ３）に直線的に接続された直線軌跡２００Ｚ’とからなる。言い換えれば、各反射平面２０Ｚの反射直線２００Ｚが第１の反射曲線２００Ａに接続されることにより、各反射微細構造２０の反射平面２０Ｚは、第１の反射曲面２０Ａに接続される。
【００２２】
図２Ｃ及び図２Ｄを参照して、図２Ｃは、本発明において異なる重み付け因子を使用した場合の異なる投光角度に対応する投光強度の光曲線図を示し、図２Ｄは、本発明において異なる重み付け因子を使用した場合において対応する異なるゲイン値（Ｇａｉｎ値）の曲線図をそれぞれ示している。図２Ｂ及び図２Ｃに示すように、重み付け因子（Ａ値）は、０．１〜１０であるのが好ましい。（但し、本発明はこれに限定されない。）この場合、複数の第１の反射曲面２０Ａは、光をゼロ視角（即ち図２Ｂにおける投射角θがゼロに接近）に効果的に導引することにより光を正方向の光に接近するように導引され、これにより光利用率が高まり、導光板の輝度値を向上することができる。しかしながら、重み付け因子（Ａ値）が過大である場合には、投射角θ（図２Ｂに示す正面視角）と互いに鏡面反射（垂直線Ｙを中心として鏡面反射する）する方向へ導引され、これにより大きい負視角が生成され、ゼロ視角の光が弱まってしまう。また、重み付け因子（Ａ値）が過大である場合には、第１の反射曲面２０Ａと反射平面２０Ｚとの間に尖点が生じることがあるが、尖点の成形は悪く、且つ壊れやすいため、製造上一定の困難をもたらす。また、図２Ｄに示すように、重み付け因子が６（Ａ＝６）である場合、角度が零度であるゲイン値（ＧＡＩＮ値）は、公知の技術（Ａ＝０）に比して７．１倍増加することとなる。
【００２３】
［第３の実施形態］
図３を参照して、本発明にかかる第３の実施形態は、導光板を提供する。図３と図１Ａとの比較から、第３の実施形態と第１の実施形態との最大の相違点は、第３の実施形態における各反射微細構造２０は、第３の反射曲面２０Ｃを有し、各反射微細構造２０の第３の反射曲面２０Ｃは、側面が第３の反射曲線２００Ｃとなっている点である。
【００２４】
第３の実施形態の第１の状況として、第２の曲線軌跡２００Ｂ’及び第３の曲線軌跡２００Ｃ’が任意で規則性を有さない軌跡であるときに、第２の反射曲線２００Ｂ及び第３の反射曲線２００Ｃは、任意で規則性を有さない曲線であり、第２の反射曲面２０Ｂ及び第３の反射曲面２０Ｃは、任意で規則性を有さない曲面である。例えば、各第２の反射曲面２０Ｂの第２の反射曲線２００Ｂは、始点となる反射面１０１の第２の底部１０１Ｂにある第２の基点（Ｐ２）と、終点となる反射面１０１の第１の底部１０１Ａにある第３の基点（Ｐ３）と、第２の基点（Ｐ２）から複数の第２の曲線軌跡点（ＰＶ２）を経由して第３の基点（Ｐ３）に接続された第２の曲線軌跡２００Ｂ’とからなる。また、各反射微細構造２０の第３の反射曲線２００Ｃは、始点となる反射面１０１の第２の底部１０１Ｂにある第３の基点（Ｐ３）と、終点となる反射面１０１の第１の底部１０１Ａにある第４の基点（Ｐ４）と、第３の基点（Ｐ３）から複数の第３の曲線軌跡点（ＰＶ３）を経由して第４の基点（Ｐ４）に接続された第３の曲線軌跡２００Ｃ’とからなる。
【００２５】
第３の実施形態の第２の状況として、第２の曲線軌跡２００Ｂ’及び第３の曲線軌跡２００Ｃ’が規則性を有する軌跡であるときに、第２の反射曲線２００Ｂ及び第３の反射曲線２００Ｃは、規則性を有する曲線であり、第２の反射曲面２０Ｂ及び第３の反射曲面２０Ｃは、規則性を有する曲面となる。例えば、図３に示すように、各第２の反射曲面２０Ｂの第２の反射曲線２００Ｂは、第２の基点（Ｐ２）から第１の所定距離だけ離れ、且つ第３の基点（Ｐ３）から第２の所定距離だけ離れた第２の制御点（ＰＣ２）を有し、各第２の反射曲面２０Ｂの第２の反射曲線２００Ｂの第２の曲線軌跡２００Ｂ’は、第２の基点（Ｐ２）と第３の基点（Ｐ３）と第２の制御点（ＰＣ２）とによって囲まれた三角形の範囲内に位置する。また、各第２の反射曲面２０Ｂの第２の反射曲線２００Ｂにおける
【数７】
0005575697.tif 000014
は、下記の関係式を満たしており、
【数８】
0005575697.tif 000015
前記関係式における符号Ａは、実質的に０．１〜１０である重み付け因子として定義され、符号Ｖは、実質的に０〜１であるパラメータとして定義される。
【００２６】
さらに、各反射微細構造２０の第３の反射曲線２００Ｃは、第３の基点（Ｐ３）から第１の所定距離だけ離れ、且つ第４の基点（Ｐ４）から第２の所定距離だけ離れた第３の制御点（ＰＣ３）を有し、各反射微細構造２０の第３の反射曲線２００Ｃの第３の曲線軌跡２００Ｃ’は、第３の基点（Ｐ３）と第４の基点（Ｐ４）と第３の制御点（ＰＣ３）とによって囲まれた三角形の範囲内に位置しており、
各反射微細構造２０の第３の反射曲線２００Ｃの
【数９】
0005575697.tif 000016
は、下記の関係式を満たしており、
【数１０】
0005575697.tif 000017
前記関係式における符号Ａは、実質的に０．１〜１０である重み付け因子として定義され、符号Ｖは、実質的に０〜１であるパラメータとして定義される。
【００２７】
従って、各第２の反射曲面２０Ｂの第２の反射曲線２００Ｂが第１の反射曲線２００Ａに接続されることにより、各反射微細構造２０の第２の反射曲面２０Ｂは、第１の反射曲面２０Ａに接続される。また、各反射微細構造２０の第３の反射曲線２００Ｃが第２の反射曲線２００Ｂに接続されることにより、各反射微細構造２０の第３の反射曲面２０Ｃは、第２の反射曲面２０Ｂに接続される。言い換えれば、各反射微細構造２０は、第１の反射曲面２０Ａと第２の反射曲面２０Ｂと第３の反射曲面２０Ｃとの相互接続からなり、第２の反射曲面２０Ｂは、任意で規則性を有さない曲面又は規則性を有する曲面（図３参照）であってよく、第３の反射曲面２０Ｃは、任意で規則性を有さない曲面又は規則性を有する曲面（図３参照）であってもよい。
【００２８】
［第４の実施形態］
図４を参照して、本発明にかかる第４の実施形態は、導光板を提供する。図４と図３との比較から、第４の実施形態と第３の実施形態との最大の相違点は、第４の実施形態における各反射微細構造２０は、反射平面２０Ｚを有し、該反射平面２０Ｚは、側面が反射直線２００Ｚとなっている点である。各反射平面２０Ｚの反射直線２００Ｚは、始点となる反射面１０１の第２の底部１０１Ｂにある第３の基点（Ｐ３）と、終点となる反射面１０１の第１の底部１０１Ａにある第４の基点（Ｐ４）と、第３の基点（Ｐ３）から第４の基点（Ｐ４）に直線的に接続された直線軌跡２００Ｚ’とからなる。言い換えれば、各反射平面２０Ｚの反射直線２００Ｚが第２の反射曲線２００Ｂに接続されることにより、各反射微細構造２０の反射平面２０Ｚが第２の反射曲面２０Ｂに接続される。
【００２９】
［第５の実施形態］
図５を参照して、本発明にかかる第５の実施形態は、導光板を提供する。図５と図１Ｃとの比較から、第５の実施形態と第１の実施形態との最大の相違点は、第５の実施形態における導光板は、本体１０の出光面１０２上に一体的に設けられた複数の出光微細構造４０を有する出光ユニット４をさらに備え、各出光微細構造４０は、本体１０に接続された光拡散部４０Ａと光拡散部４０Ａに設けられた集光部４０Ｂとを有する点である。図５に示す破線は、光拡散部４０Ａと集光部４０Ｂとの境界線である。
【００３０】
［第６の実施形態］
図６を参照して、本発明にかかる第６の実施形態は、導光板を提供する。図６と図５との比較から、第６の実施形態と第５の実施形態との最大の相違点は、第６の実施形態における各出光微細構造４０は、本体１０に接続された集光部４０Ｂと集光部に設けられた光拡散部４０Ａとを有する点である。
【００３１】
［第７の実施形態］
図７Ａないし図７Ｅを参照して、本発明にかかる第７の実施形態は、導光板を提供する。図７Ａないし図７Ｅのいずれか一つと図１Ｃとの比較から、第７の実施形態と第１の実施形態との最大の相違点は、第７の実施形態における導光板は、本体１０の出光面１０２上に一体的に設けられた複数の出光微細構造４０を有する出光ユニット４をさらに備え、各出光微細構造４０は、三角形（図７Ａ参照）、梯形（図７Ｂ参照）、方形（図７Ｃ参照）、凸弧形（図７Ｄ参照）、凹弧形（図７Ｅ参照）等であってもよい点である。
【００３２】
［第８の実施形態］
図８を参照して、本発明にかかる第８の実施形態は、導光板を提供する。図８と図１Ｂとの比較から、第８の実施形態と第１の実施形態との最大の相違点は、第８の実施形態において、上述した複数の反射微細構造２０は、互いに分散して成り、且つ本体１０の反射面１０１上に一体的に形成されてもよい点である。
【００３３】
［光曲線図］
図９を参照して、図９は、本発明の図１Ｃ、図２Ｂ、図３、図５、図６、図７Ａから図７Ｅの導光板が異なる投光角度下において、それぞれ対応する投光強度の光曲線図を示している。図９の曲線推移において、複数の出光微細構造４０を使用した実験曲線（図５、図６、図７Ａから図７Ｅ参照）は、複数の出光微細構造４０を使用していない実験曲線（図１Ｃ、図２Ｂ及び図３参照）よりも好ましい集光効果がある。この内、図５における実験結果から得られた光が最も円滑であり、その集光効果も良好であることが確認された。従って、本発明では、各出光微細構造４０の光拡散部４０Ａ及び集光部４０Ｂを調整することにより、導光板が好ましい投射光を得ることができる。
【産業上の利用可能性】
【００３４】
上述した通り、本発明の実施形態に係る導光板及びバックライトモジュールによれば、本体の反射面上に複数の反射微細構造が設けられて構成されているため、正方向の光の導光効率及び光使用率を向上させることができる。
【００３５】
上述したものは、本発明の好ましい実施形態に過ぎず、本発明の実施の範囲を限定するためのものではない。したがって、本発明の明細書及び図面内容に基づいてなされた均等な変更および付加は、いずれも本発明の特許請求の範囲内に含まれるものとする。
【符号の説明】
【００３６】
１  主体ユニット
１０  本体
１００  入光面
１０１  反射面
１０１Ａ  第１の底部
１０１Ｂ  第２の底部
１０２  出光面
２  反射ユニット
２０  反射微細構造
２０Ａ  第１の反射曲面
２００Ａ  第１の反射曲線
２００Ａ’  第１の曲線軌跡
２０Ｂ  第２の反射曲面
２００Ｂ  第２の反射曲線
２００Ｂ’  第２の曲線軌跡
２０Ｃ  第３の反射曲面
２００Ｃ  第３の反射曲線
２００Ｃ’  第３の曲線軌跡
２０Ｚ  反射平面
２００Ｚ  反射直線
Ｐ１  第１の基点
Ｐ２  第２の基点
Ｐ３  第３の基点
Ｐ４  第４の基点
ＰＶ１  第１の曲線軌跡点
ＰＶ２  第２の曲線軌跡点
ＰＶ３  第３の曲線軌跡点
ＰＣ１  第１の制御点
ＰＣ２  第２の制御点
ＰＣ３  第３の制御点
Ｈ  所定の高さ
Ｌ１  入射ビーム
Ｌ２  投射ビーム
Ｙ  垂直線
θ  投射角
【図１Ａ】
0005575697.tif 000030
【図１Ｂ】
0005575697.tif 000031
【図１Ｃ】
0005575697.tif 000032
【図１Ｄ】
0005575697.tif 000033
【図２Ａ】
0005575697.tif 000034
【図２Ｂ】
0005575697.tif 000035
【図２Ｃ】
0005575697.tif 000036
【図２Ｄ】
0005575697.tif 000037
【図３】
0005575697.tif 000038
【図４】
0005575697.tif 000039
【図５】
0005575697.tif 000040
【図６】
0005575697.tif 000041
【図７Ａ】
0005575697.tif 000042
【図７Ｂ】
0005575697.tif 000043
【図７Ｃ】
0005575697.tif 000044
【図７Ｄ】
0005575697.tif 000045
【図７Ｅ】
0005575697.tif 000046
【図８】
0005575697.tif 000047
【図９】
0005575697.tif 000048